(57)【要約】【課題】  光ディスクに設けられている信号記録層に記録されている信号の読み出し動作を行う光ピックアップ装置を提供する。【解決手段】  レーザーダイオードに供給される駆動信号に高周波信号発生回路から生成される高周波信号を重畳させることによって戻り光による雑音対策を行うように構成された光ピックアップ装置であり、前記高周波信号発生回路を集積回路にて構成するとともに該集積回路化された高周波信号発生用チップ９をレーザーダイオードチップ８Ｃの近傍に設けたことを特徴とする。【選択図】  図１
2011096328.tif 000002
【特許請求の範囲】
【請求項１】
レーザーダイオードに供給される駆動信号に高周波信号発生回路から生成される高周波信号を重畳させることによって戻り光による雑音対策を行うように構成された光ピックアップ装置であり、前記高周波信号発生回路を集積回路にて構成するとともに該集積回路化された高周波信号発生用チップをレーザーダイオードを構成するレーザーダイオードチップの近傍に設けたことを特徴とする光ピックアップ装置。
【請求項２】
高周波信号発生用チップとレーザーダイオードチップとを同一のＣＡＮタイプのケース内に配置したことを特徴とする請求項１に記載の光ピックアップ装置。
【請求項３】
ケースをシールド性材料にて製造したことを特徴とする請求項２に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の再生動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００４】
光ピックアップ装置は、レーザーダイオードから放射されるレーザー光を対物レンズの集光動作によって光ディスクに設けられている信号記録層に集光させるとともに該信号記録層から反射されるレーザーである戻り光を光検出器に照射させるように構成されている。即ち、光検出器に組み込まれている４分割センサー等に照射されるレーザー光の光量変化や位置の変化に伴って得られる信号からフォーカスエラー信号やトラッキングエラー信号を生成し、これらの信号を利用して対物レンズの変位位置を制御することによって光ディスクに記録されている信号の読み出し動作等を行うように構成されている。
【０００５】
斯かる動作を行うように構成された光ピックアップ装置において、信号記録層から反射される戻り光は、前記光検出器に照射されるだけでなくレーザーダイオードの出射面に対しても照射される。レーザーダイオードの出射面に戻り光が照射されると、レーザー光が変調されることによってレーザー光雑音と呼ばれる現象が発生するという問題がある。
【０００６】
斯かる戻り光による問題を解決する方法として一般にはレーザーダイオードの駆動信号に高周波信号を重畳させる方法が採用されている。斯かる方法は、高周波重畳法と呼ばれるものであり、高周波電流の重畳によってレーザーダイオードから放射されるレーザー光のスペクトルをマルチモード化させることが出来るので、レーザー光の可干渉性を低減させることが出来、その結果光ディスクからの反射光によるレーザー光雑音を低減することが出来る。
【先行技術文献】
【特許文献】
【０００７】
【特許文献１】特開２００２−３２９３４２号公報
【発明の概要】
【発明が解決しようとする課題】
【０００８】
図５に示す回路は、高周波信号をレーザーダイオードの駆動信号に重畳させるように構成されたレーザーダイオード駆動回路の実施例を示すものである。同図において、１は電源供給端子、２は電源線路に流れる高周波信号をカットするために設けられている電源用高周波カットフィルタ、３は後述するレーザーダイオードに供給される駆動信号に重畳させる高周波信号を発生する高周波信号発生回路、４はレーザーダイオードの駆動信号が供給される駆動信号供給端子、５は駆動信号の供給路に流れる高周波信号をカットするため
に設けられている駆動信号用高周波カットフィルタ、６は例えば波長が４０５ｎｍの青紫色光のレーザー光を放射するレーザーダイオードである。
【０００９】
斯かる構成において、レーザーダイオード６には駆動信号供給端子４から入力される駆動信号が駆動信号用高周波カットフィルタ５を通して供給されるとともに電源端子１から電源用高周波フィルタを通して供給される電源によって発振動作する高周波信号発生回路３から生成される高周波信号が前記駆動信号に重畳されて供給されることになる。
【００１０】
斯かる高周波信号が重畳された駆動信号がレーザーダイオード６に供給されると、該レーザーダイオード６から放射されるレーザー光のスペクトルをマルチモード化させることが出来るので、レーザー光の可干渉性を低減させることが出来、その結果、光ディスクの信号記録層からの反射光によるレーザーノイズを低減することが出来る。
【００１１】
図５に示した駆動回路によってレーザーダイオード６の駆動動作は行われるが、次に図３及び図４を参照にして従来の光ピックアップ装置の構成について説明する。
【００１２】
図３はレーザーダイオード６としてＣＡＮタイプのレーザーダイオードを使用したものであり、内部にレーザー光を放射するレーザーダイオードチップ６Ｃが組み込まれているとともに外体であるケース６Ａはアルミニューム等のシールド性材料にて製造されている。６１は前記レーザーダイオードチップ６Ｃのアノードに接続されている第１リード端子、６２は前記レーザーダイオードチップ６Ｃのカソードに接続されている第２リード端子、６３は前記ケース６Ａと接続されているとともに接地端子として設けられている第３リード端子である。
【００１３】
７は前記レーザーダイオード６に設けられている第１リード端子６１、第２リード端子６２及び第３リード端子６３が各々半田付けされるランド６１Ａ、６２Ａ、６３Ａ及び各回路部品と前記レーザーダイオードチップ６Ｃとを電気的に接続するためのパターンＰが図示したように印刷配線されているフレキシブル印刷配線基板であり、前述した電源用高周波カットフィルタ２、高周波信号発生回路３が組み込まれている高周波信号発生用チップ３Ａ及び駆動信号用高周波カットフィルタ５が表面実装等によって固定されている。
【００１４】
レーザーダイオード６及び高周波信号発生回路３が組み込まれている高周波信号発生用チップ３Ａは図３に示すようにフレキシブル印刷配線基板７に表面実装にて固定されているが、前述した電源用高周波カットフィルタ２及び駆動信号用高周波カットフィルタ５も同様に前記フレキシブル印刷配線基板７に固定されている。
【００１５】
図４は前記フレキシブル印刷配線基板７に固定されている電子部品とレーザーダイオード６との配置関係を示すものである。斯かる配線図面において、高周波信号発生回路３から生成される高周波信号は、電源用高周波カットフィルタ２と高周波信号発生回路３とを結ぶ配線Ａ、駆動信号用高周波カットフィルタ５と高周波信号発生回路３とを結ぶ配線Ｂ、高周波信号発生回路３の出力端子及び駆動信号用高周波カットフィルタ５の出力端子とランド６１Ａとを結ぶ配線Ｃ、そしてレーザーダイオード６に設けられている第１リード端子６１とレーザーダイオードチップ６Ｃとを結ぶ配線Ｄ上を流れることになる。
【００１６】
斯かる構成において、電源用高周波カットフィルタ２及び駆動信号用高周波カットフィルタ５によるフィルタ動作によって高周波信号の他の回路への流入を防止することは出来るものの前述した配線Ａ、配線Ｂ及び配線Ｃから不要輻射が発生するという問題がある。即ち、前述した配線Ｄにて発生する不要輻射はレーザーダイオード６のケース６Ａを接地することによるシールド効果によって外部ほの放出を防止することが出来るもののフレキシブル配線基板７上に設けられている配線Ａ、配線Ｂ及び配線Ｃから発生する不要輻射の
放出を防止することは出来ないという問題がある。
【００１７】
本発明は、斯かる問題を解決することが出来る光ピックアップ装置を提供しようとするものである。
【課題を解決するための手段】
【００１８】
本発明は、レーザーダイオードに供給される駆動信号に高周波信号発生回路から生成される高周波信号を重畳させることによって戻り光による雑音対策を行うように構成された光ピックアップ装置において、前記高周波信号発生回路を集積回路にて構成するとともに該集積回路化された高周波信号発生用チップをレーザーダイオードチップの近傍に設けたことを特徴とするものである。
【００１９】
また、本発明は、高周波信号発生用チップとレーザーダイオードチップとを同一のＣＡＮタイプのケース内に配置したことを特徴とするものである。
【００２０】
そして、本発明は、レーザーダイオードのケースをシールド性材料にて製造したことを特徴とするものである。
【発明の効果】
【００２１】
本発明の光ピックアップ装置は、レーザーダイオードに高周波信号を供給するべく設けられている高周波信号発生回路を集積化した高周波信号発生用チップをレーザーダイオードチップの近傍に設けたので、フレキシブル印刷配線基板に設けられる高周波信号が流れる配線パターンの長さを短くすることが出来、その結果、不要輻射の大きさを小さくすることが出来るという効果を奏するものである。
【図面の簡単な説明】
【００２２】
【図１】本発明の実施例を示す斜視図である。
【図２】本発明に係るフレキシブル印刷配線基板とレーザーダイオードとの配置関係を示す図面である。
【図３】従来例を示す斜視図である。
【図４】従来例に係るフレキシブル印刷配線基板とレーザーダイオードとの配置関係を示す図面である。
【図５】レーザーダイオードの一般的な駆動回路を示す回路図である。
【発明を実施するための形態】
【００２３】
レーザー光を放射するレーザーダイオードに高周波信号を重畳させた駆動信号を供給することによって戻り光による雑音を防止するように構成された光ピックアップ装置において、不要輻射の問題を解決することが出来る。
【実施例１】
【００２４】
図１は本発明の光ピックアップ装置に組み込まれるレーザーダイオード駆動回路の構造を示す斜視図であり、図３と同一の部材には同一の符号を付している。
【００２５】
８はＣＡＮタイプのレーザーダイオードであり、ケース８Ａはアルミニューム等のシールド性材料にて製造されている。８Ｃはレーザー光を放射するレーザーダイオードチップであり、前記ケース８Ａ内に組み込まれている。９Ａはレーザーダイオードチップ８Ｃへ供給される駆動信号に重畳する高周波信号を生成する高周波信号発生回路９を集積化した高周波信号発生用チップであり、前記レーザーダイオード８を構成するケース８Ａ内に組み込まれている。
【００２６】
８１は前記レーザーダイオード８に設けられているとともに前記レーザーダイオードチップ８Ｃのアノードに接続されている第１リード端子、８２は同様に前記高周波信号発生用チップ９Ａの電源供給端子に接続されている第２リード端子、８３は同様に前記高周波信号発生用チップ９Ａの接地端子と接続されている第３リード端子である。
【００２７】
１０は前記レーザーダイオード８に設けられている第１リード端子８１、第２リード端子８２及び第３リード端子８３が各々半田付けされるランド８１Ａ、８２Ａ、８３Ａ及び各回路部品と前記レーザーダイオードチップ８Ｃ及び高周波信号発生用チップ９Ａとを電気的に接続するためのパターンＰが図示したように印刷配線されているフレキシブル印刷配線基板であり、電源用高周波カットフィルタ１１及び駆動信号用高周波カットフィルタ１２が表面実装等によって図１に示すように固定されている。
【００２８】
レーザーダイオードチップ８Ｃ及び高周波信号発生用チップ９Ａが組み込まれているレーザーダイオード８、電源用高周波カットフィルタ１１及び駆動信号用高周波カットフィルタ１２は、図１に示すように前記フレキシブル印刷配線基板１０に固定されているが、前記レーザーダイオード８のケース８Ａは導電体（図示せず）によって光ピックアップ装置を構成するハウジング等の接地部に電気的に接続されてシールド動作を行うように構成されている。
【００２９】
図２は前記フレキシブル印刷配線基板１０に固定されている電子部品とレーザーダイオード８との配置関係を示すものである。斯かる配線図面において、高周波信号発生用チップ９Ａから生成される高周波信号は、電源用高周波カットフィルタ２と該高周波信号発生用チップ９Ａとを結ぶ配線Ａ１及びＡ２、駆動信号用高周波カットフィルタ１２と高周波信号発生用チップ９Ａとを結ぶ配線Ｂ１及びＢ２、高周波信号発生用チップ９Ａの出力端子とレーザーダイオードチップ８Ｃとを結ぶ配線Ｃを流れることになる。
【００３０】
斯かる構成より明らかなように配線Ａ１、配線Ｂ２及び配線Ｃは、レーザーダイオード８を構成するケース８Ａ内に設けられているので、前記配線Ａ１、配線Ｂ２及び配線Ｃから発生する不要輻射信号は該ケース８Ａのシールド作用によって外部に放出されることはない。
【００３１】
また、フレキシブル配線基板１０に設けられている配線Ａ２及び配線Ｂ１から不要輻射信号が放出されるが、その配線Ａ２及びＢ１のパターンＰの長さを短くすることが出来るので、不要輻射信号のレベルを最小限にすることが出来る。
【００３２】
そして、本発明は、高周波信号発生用チップ９Ａをレーザーダイオードチップ８Ｃの近傍に配置するようにしたので、高周波信号の伝送路の長さを短くすることが出来、その結果、伝送路の容量を低く抑えることが出来るので高周波信号の重畳振幅を大きくすることが出来るという利点を有している。
【産業上の利用可能性】
【００３３】
本発明は、Ｂｌｕ−ｒａｙ規格の光ディスクに記録されている信号を読み出すために使用され光ピックアップ装置だけでなくＣＤ規格の光ディスク及びＤＶＤ規格の光ディスクに記録されている信号を読み出すために使用される光ピックアップ装置にも実施することが出来る。
【符号の説明】
【００３４】
８      レーザーダイオード
８Ａ    ケース
８Ｃ    レーザーダイオードチップ
９      高周波信号発生用チップ
１０    フレキシブル印刷配線基板
【図１】
2011096328.tif 000003
【図２】
2011096328.tif 000004
【図３】
2011096328.tif 000005
【図４】
2011096328.tif 000006
【図５】
2011096328.tif 000007